(57)【要約】【課題】複数の設定項目を変更する操作が容易な撮像装置および画像表示装置を提供する。【解決手段】本発明の撮像装置は、複数の設定項目からなる撮影条件を設定するタッチパネル装置１１１と、スルー画像とともに、タッチパネル装置１１１によって設定された複数の設定項目の設定値を表したグラフを表示モニタ１０４に表示させる制御回路１０１とを備え、制御回路１０１は、タッチパネル装置１１１による設定値の変更に応じて、表示モニタ１０４に表示されているグラフの形状を変更させ、タッチパネル装置１１１による設定値の変更に応じて、表示モニタ１０４に表示されている画像の表示態様を変更させる。【選択図】図２
2010183477.tif 000002
【特許請求の範囲】
【請求項１】
被写体像を撮像し、画像データを出力する撮像手段と、
前記撮像手段によって出力される画像データの画像を表示モニタに順次表示させる画像表示制御手段と、
複数の設定項目からなる撮影条件を設定する撮影条件設定手段と、
前記撮影条件設定手段によって設定された複数の設定項目の設定値を表したグラフを、前記画像表示制御手段によって表示させた画像とともに前記表示モニタに表示させるグラフ表示制御手段とを備え、
前記グラフ表示制御手段は、前記撮影条件設定手段によって設定された設定値の変更に応じて、前記表示モニタに表示されているグラフの形状を変更させ、
前記画像表示制御手段は、前記撮影条件設定手段によって設定された設定値の変更に応じて、前記表示モニタに表示されている画像の表示態様を変更させることを特徴とする撮像装置。
【請求項２】
請求項１に記載の撮像装置において、
前記グラフは、レーダーチャート、棒グラフおよび折れ線グラフのうちのいずれかであることを特徴とする撮像装置。
【請求項３】
請求項１または２に記載の撮像装置において、
前記表示モニタにはタッチパネルが設けられ、
前記撮影条件設定手段は、ユーザによる前記タッチパネルの操作によって前記設定値を変更することを特徴とする撮像装置。
【請求項４】
請求項１乃至３のいずれか１項に記載の撮像装置において、
前記撮像手段によって出力された画像データおよび該画像データの撮影条件を記憶する画像データ記憶手段を備え、
前記画像表示制御手段は、前記画像データ記憶手段によって記憶された画像データの画像を表示させ、
前記撮影条件設定手段は、該画像データとともに記憶されている撮影条件を撮影条件として設定することを特徴とする撮像装置。
【請求項５】
請求項１乃至３のいずれか１項に記載の撮像装置において、
前記撮像手段によって出力された画像データを記憶する画像データ記憶手段と、
複数の編集項目からなる編集条件を設定する編集条件設定手段と、
前記編集条件設定手段によって設定された編集条件に基づいて、前記画像データ記憶手段によって記憶された画像データの画像を編集する画像編集手段とを備え、
前記画像表示制御手段は、前記画像データ記憶手段によって記憶されている画像データの画像を表示させ、
前記グラフ表示制御手段は、前記複数の編集項目の設定値を表したグラフを、前記画像データ記憶手段によって記憶されている画像データの画像とともに前記表示モニタに表示させることを特徴とする撮像装置。
【請求項６】
請求項１乃至３のいずれか１項に記載の撮像装置において、
前記グラフが表す設定値の設定項目を示すアイコンを前記グラフとともに前記表示モニタに表示させるアイコン表示制御手段と、
前記表示制御手段によって表示されたアイコンの中から、選択されたアイコンを入力するアイコン入力手段と、
前記アイコン入力手段によって入力されたアイコンに係る設定項目の説明を前記表示モニタに表示させる説明表示制御手段とを備えることを特徴とする撮像装置。
【請求項７】
画像を表示モニタに表示させる画像表示制御手段と、
複数の設定項目の設定値を設定する設定値設定手段と、
前記設定値設定手段によって設定された複数の設定項目の設定値を表したグラフを、前記画像表示制御手段によって表示させている画像とともに前記表示モニタに表示させるグラフ表示制御手段をと備え、
前記グラフ表示制御手段は、前記設定値設定手段によって設定された設定値の変更に応じて、前記表示モニタに表示させているグラフの形状を変更させ、
前記画像表示制御手段は、前記設定値設定手段によって設定された設定値の変更に応じて、前記画像表示制御手段によって表示させている画像の表示態様を変更させることを特徴とする画像表示装置。
【請求項８】
請求項７に記載の画像表示装置において、
前記グラフは、レーダーチャート、棒グラフおよび折れ線グラフのうちのいずれかであることを特徴とする画像表示装置。
【請求項９】
請求項７または８に記載の画像表示装置において、
前記表示モニタにはタッチパネルが設けられ、
前記設定値設定手段は、ユーザによる前記タッチパネルの操作によって前記設定値を変更することを特徴とする画像表示装置。
【発明の詳細な説明】
【技術分野】
【０００１】
本発明は、所定の設定について手動設定できる撮像装置および画像表示装置に関する。
【背景技術】
【０００２】
ユーザが撮影条件を手動設定すると、手動設定値を適用した画像を表示する撮像装置が従来技術として知られている（たとえば、特許文献１参照）。
【先行技術文献】
【特許文献】
【０００３】
【特許文献１】特開２００２−１５８９０３号公報
【発明の概要】
【発明が解決しようとする課題】
【０００４】
特許文献１に記載の撮像装置では、手動設定値を適用した画像を表示させながら設定を変更できる設定項目は１つに限られる。このため、複数の設定項目を変更するとき、操作が面倒であるという問題点がある。
【課題を解決するための手段】
【０００５】
（１）請求項１の発明の撮像装置は、被写体像を撮像し、画像データを出力する撮像手段と、撮像手段によって出力される画像データの画像を表示モニタに順次表示させる画像表示制御手段と、複数の設定項目からなる撮影条件を設定する撮影条件設定手段と、撮影条件設定手段によって設定された複数の設定項目の設定値を表したグラフを、画像表示制御手段によって表示させた画像とともに表示モニタに表示させるグラフ表示制御手段とを備え、グラフ表示制御手段は、撮影条件設定手段によって設定された設定値の変更に応じて、表示モニタに表示されているグラフの形状を変更させ、画像表示制御手段は、撮影条件設定手段によって設定された設定値の変更に応じて、表示モニタに表示されている画像の表示態様を変更させることを特徴とする。
（２）請求項７の発明の画像表示装置は、画像を表示モニタに表示させる画像表示制御手段と、複数の設定項目の設定値を設定する設定値設定手段と、設定値設定手段によって設定された複数の設定項目の設定値を表したグラフを、画像表示制御手段によって表示させている画像とともに表示モニタに表示させるグラフ表示制御手段をと備え、グラフ表示制御手段は、設定値設定手段によって設定された設定値の変更に応じて、表示モニタに表示させているグラフの形状を変更させ、画像表示制御手段は、設定値設定手段によって設定された設定値の変更に応じて、画像表示制御手段によって表示させている画像の表示態様を変更させることを特徴とする。
【発明の効果】
【０００６】
本発明によれば、手動で設定された設定値を適用した画像を表示させながら複数の設定項目を変更する操作が容易になる。
【図面の簡単な説明】
【０００７】
【図１】本発明の第１の実施形態における撮像装置の外観図である。
【図２】本発明の第１の実施形態における撮像装置の構成を説明するブロック図である。
【図３】設定項目の設定値の変更操作を説明するための図である。
【図４】レーダーチャートの大きさを変更する操作を説明するための図ある。
【図５】レーダーチャートの表示位置を変更する操作を説明するための図である。
【図６】本発明の第１の実施形態における撮影条件変更処理を説明するためのフローチャートである。
【図７】本発明の第１の実施形態における撮影条件変更処理を説明するためのフローチャートである。
【図８】本発明の第１の実施形態における撮影条件変更処理を説明するためのフローチャートである。
【図９】本発明の第１の実施形態における撮影条件変更処理を説明するためのフローチャートである。
【図１０】背景を着色したレーダーチャートを説明するための図である。
【図１１】レーダーチャートを押圧したときに表示されるポップアップ画面を説明するための図である。
【図１２】ヘルプボタンを押圧したときのヘルプ画面を説明するための図である。
【図１３】レーダーチャートとともに表示されている設定値やアイコンを押圧したときに表示されるヘルプ画面を説明するための図である。
【図１４】ロータリマルチセレクタを使用して設定項目の設定値を変更する操作を説明するための図である。
【図１５】ロータリスイッチを使用して設定項目の設定値を変更する操作を説明するための図である。
【図１６】十字キーを使用して設定項目の設定値を変更する操作を説明するための図である。
【図１７】設定項目の設定値を変更する操作の切り替えを説明するための図である。
【図１８】設定項目の設定値を表すグラフの変形例を説明するための図である。
【図１９】再生画像を撮影したときの撮影条件を、これから行う撮影の撮影条件に設定する操作を説明するための図である。
【図２０】画像の編集を行うときに表示されるレーダーチャートを説明するための図である。
【発明を実施するための形態】
【０００８】
−第１の実施形態−
以下、図を参照して本発明の第１の実施形態による撮像装置を説明する。第１の実施形態による撮像装置は、複数の設定項目からなる撮影条件をレーダーチャートで表示する。また、撮像装置は、タッチパネルが設置された表示モニタを備え、ユーザのタッチパネルの操作によってレーダーチャートで表された撮影条件を変更することができる。
【０００９】
図１は撮像装置１の外観図である。図１（ａ）は、撮像装置１を斜め前方から見た図であり、図１（ｂ）は、撮像装置１を斜め後方から見た図である。図１（ａ）に示すように、撮像装置１の正面には、撮影光学系（図２、符号１２１参照）を構成するレンズ１２１ａと、被写体を照明する照明装置１１０とが設けられている。撮像装置１の上面には、レリーズスイッチ１０３ａが設けられている。
【００１０】
図１（ｂ）に示すように、撮像装置１の背面には、表示モニタ１０４が設けられており、表示モニタ１０４の画面にはタッチパネル１１１ａが設けられている。
【００１１】
図２は、撮像装置１の構成を説明するブロック図である。撮像装置１は、制御回路１０１と、メモリ１０２と、操作部１０３と、表示モニタ１０４と、スピーカ１０５と、外部インターフェイス（Ｉ／Ｆ）回路１０６と、メモリカードインターフェイス（Ｉ／Ｆ）１０７と、電源１０８と、測光装置１０９と、照明装置１１０と、タッチパネル装置１１１とを有している。メモリカードインターフェイス１０７にはメモリカード１５０が実装される。
【００１２】
制御回路１０１は、撮像装置内各部から出力される信号を用いて、制御プログラムによる所定の演算を行い、制御信号を生成する。そして、制御回路１０１は、撮像装置内各部に制御信号を出力し、撮像装置１を制御する。なお、制御プログラムは制御回路１０１内の不図示のＲＯＭ（ Read Only Memory ）に格納される。また、制御回路１０１は、設定された撮影条件で撮像装置１が撮影動作を行うように撮像装置１を制御する。
【００１３】
制御回路１０１は、撮像装置各部から取得した撮影条件の情報、画像データなどから画像ファイルを作成し、メモリ１５０などの記録媒体に記憶させる。この画像ファイルは、たとえばＥｘｉｆ（ Exchangeable image file format ）画像ファイル規定にしたがって作成される。
【００１４】
メモリ１０２は、制御回路１０１の作業用メモリとして使用されたり、データを一時的に記憶するバッファメモリとして使用されたりする。操作部１０３は、レリーズスイッチ１０３ａなどのボタンやスイッチを含み、操作されたボタンやスイッチに対応する操作信号を制御回路１０１へ出力する。メモリカードインターフェイス１０７は、制御回路１０１の指示によりメモリカード１５０へ画像ファイルを書き込んだりメモリカード１５０から画像ファイルを読み出したりする。メモリカード１５０は、メモリカードインターフェイス１０７に着脱可能な外部記録媒体である。
【００１５】
表示モニタ１０４は、制御回路１０１の指示により、画像ファイルの画像やテキストなどの情報を表示する。表示モニタ１０４は、メモリカード１５０に記憶された画像データの画像を表示したり、撮影時の撮影準備画像（いわゆるスルー画像）を表示したりする。スルー画像は、後述の撮像素子１２２から出力される画像データを所定の時間間隔（たとえば３０コマ／毎秒）で取得して順次表示させる画像である。
【００１６】
スピーカ１０５は、制御回路１０１からの指示により音声を出力する。外部インターフェイス回路１０６は、制御回路１０１からの指示により不図示のケーブルを介して外部機器（パーソナルコンピュータ、プリンタなど）との間でコマンドおよびデータを送受信する。
【００１７】
電源１０８は、バッテリ、電源回路などを有し、撮像装置１の各部に電力を供給する。測光装置１０９は、測光センサによって被写体の輝度を検出し、輝度情報を制御回路１０１へ送出する。制御回路１０１は輝度情報に基づき、シャッター秒時やＦ値等の露出設定値を算出する。照明装置１１０は、撮影時に制御回路１０１から発光指示された場合に所定光量で、たとえば閃光発光し、被写体を照明する。照明光は撮像装置前方へ放射される。
【００１８】
タッチパネル装置１１１は、表示モニタ１０４の画面に設けられたタッチパネル１１１ａの押圧位置を検出する装置である。タッチパネル装置１１１は、タッチパネル１１１ａが押圧されたときに生ずるタッチパネル１１１ａの静電容量の変化を検知し、その静電容量の変化からタッチパネル１１１ａの押圧位置を算出する。タッチパネル装置１１１は２以上の押圧位置も検出することができる。タッチパネル装置１１１は、算出したタッチパネル１１１ａの押圧位置のデータを制御回路１０１に出力する。
【００１９】
撮像部１２０は、撮影光学系１２１、撮像素子１２２および撮像制御回路１２３を有し、制御回路１０１からの指示に応じて被写体の撮像を行う。撮影光学系１２１は、撮像素子１２２の撮像面上に被写体像を結像させる。撮像素子１２２には、ＣＣＤ（ Charge Coupled Device ）撮像素子やＣＭＯＳ（ Complementary Metal Oxide Semiconductor ）撮像素子などが用いられる。撮像制御回路１２３は、制御回路１０１からの指示により撮像素子１２２を駆動制御するとともに、撮像素子１２２から出力される画像信号に対して所定の信号処理を行う。信号処理後の画像のデータは、上述のＥｘｉｆ画像ファイル規定の画像ファイルとしてメモリカード１５０に記憶される。
【００２０】
次に、図３〜図５を参照して、レーダーチャートで表された撮影条件の変更操作を、露出補正の設定値を変更する操作を例に上げて説明する。露出補正の設定値を変更することにより、画像全体が明るくなるように撮影したり、画像全体が暗くなるように撮影したりすることができる。表示モニタ１０４には、撮影時の撮影準備画像であるスルー画像が表示されているものとして説明する。
【００２１】
スルー画像が表示モニタ１０４に表示されているとき、ユーザが、表示モニタ１０４の画面に設けられているタッチパネル１１１ａを押圧すると、図３（ａ）に示すように、レーダーチャート３０１がスルー画像３１０に重ねて表示される。レーダーチャート３０１は、撮影条件の中で５つの設定項目３０２ａ〜３０２ｅの設定値をプロットしたものである。以下、レーダーチャート３０１において設定値をプロットした位置をプロット位置と呼ぶ。この５つの設定項目は、ホワイトバランス３０２ａ、露出補正３０２ｂ、シャッター秒時３０２ｃ、Ｆ値３０２ｄおよびＩＳＯ感度３０２ｅである。レーダーチャート３０１を構成する５つの軸は、レーダーチャート３０１の中心３０１ａに達しないようにしてあり、これは、レーダーチャート３０１の中心を押圧したときの押圧された軸の判断が困難になるからである。
【００２２】
レーダーチャート３０１にプロットされた設定値の具体的な値を認識できるようにするため、レーダーチャート３０１とともに設定値３０３ａ〜３０３ｄが表示される。また、レーダーチャート３０１の項目に対応する設定項目を認識できるようにするため、アイコン３０４ａ，３０４ｂが表示される。
【００２３】
露出補正の補正量を変更するとき、図３（ｂ）に示すように露出補正のプロット位置３０５（図３（ａ）参照）を押圧し、露出補正の軸に沿ってドラッグ操作を行う。露出補正の設定値をプラス側に大きくする場合は、図３（ｂ）の矢印３２１に示すように、レーダーチャート３０１の外側へ向けてドラッグ操作を行い、露出補正の設定値をマイナス側に大きくする場合はレーダーチャート３０１の内側へ向けてドラッグ操作を行う。
【００２４】
露出補正のプロット位置３０５はタッチパネル１１１ａの押圧位置にしたがって移動し、それにともない露出補正の設定値も変更される。図３（ｃ）に示すように、レーダーチャート３０１とともに表示されている設定値３０３ａも、プロット位置３０５の移動に応じて変更される。また、プロット位置が移動すると、図３（ｃ）に示すようにレーダーチャート３０１の形状も変わる。
【００２５】
ドラッグ操作によって露出補正の設定値が変更されると、さらにスルー画像３１０の表示態様も変更される。図３（ｂ）の操作により、露出補正の設定値はプラス側に大きくなったので、図３（ｃ）のスルー画像３１０は図３（ａ）のスルー画像３１０に比べて明るくなる。
【００２６】
他の設定項目の設定値を変更する場合、レーダーチャート３０１をそのまま表示させた状態で、他の設定項目３０２ａ，３０２ｃ〜３０２ｅについて上記と同様のドラッグ操作を行う。
【００２７】
さらに、第１の実施形態における撮像装置１は、レーダーチャート３０１の大きさを変更することができる。たとえば、レーダーチャート３０１を小さくしたい場合は、図４（ａ）に示すように、タッチパネル１１１ａを２箇所押圧し、矢印３２２に示すように、押圧位置の間隔が小さくなるように、ドラッグ操作を行う。その結果、図４（ｂ）に示すように、レーダーチャート３０１は、図４（ａ）のレーダーチャート３０１に比べて小さくなる。逆に大きくしたい場合は、押圧位置の間隔が大きくなるように、ドラッグ操作を行う。
【００２８】
さらに、第１の実施形態における撮像装置１は、レーダーチャート３０１の表示位置を移動することができる。図５に示すように、レーダーチャート３０１の中心を押圧し、ドラッグ操作を行うと、レーダーチャート３０１は押圧位置の移動にともなって移動する。
【００２９】
次に、本発明の第１の実施形態における撮影条件変更処理について、図６〜図９のフローチャートを参照して説明する。図６〜図９の処理は、撮像装置１がスルー画像を表示するとスタートするプログラムにより制御回路１０１において実行される。
【００３０】
ステップＳ１０１では、タッチパネル１１１ａが押圧されたか否かを判定する。押圧された場合はステップＳ１０１が肯定判定され、ステップＳ１０２へ進む。押圧されない場合はステップＳ１０１を繰り返す。ステップＳ１０２では、撮影条件における設定項目の設定値を読み込む。ステップＳ１０３では、メモリ１０２を作業エリアとして、読み込んだ設定値に基づいて所定の大きさのレーダーチャートを作成する。ステップＳ１０４では、スルー画像に重ねてレーダーチャートを表示する。ステップＳ１０５では、表示モニタ１０４の画面におけるレーダーチャートの中心の位置を算出する。ステップＳ１０６では、表示モニタ１０４の画面における各設定項目のプロット位置を算出する。
【００３１】
ステップＳ１０７では、タッチパネル１１１ａが押圧されたか否かを判定する。押圧された場合はステップＳ１０７が肯定判定され、ステップＳ１０８へ進む。押圧されない場合はステップＳ１０７を繰り返す。ステップＳ１０８では、タッチパネル１１１ａの押圧位置を検出する。ステップＳ１０９では、タッチパネル１１１ａの押圧位置が１箇所であるか否かを判定する。タッチパネル１１１ａの押圧位置が１箇所である場合はステップＳ１０９が肯定判定され、ステップＳ１１０へ進む。タッチパネル１１１ａの押圧位置が１箇所でない場合はステップＳ１０９が否定判定され、ステップＳ１１３へ進む。
【００３２】
ステップＳ１１０では、押圧位置がレーダーチャートの設定項目のプロット位置であるか否かを判定する。押圧位置がレーダーチャートの設定項目のプロット位置である場合はステップＳ１１０が肯定判定され、図７のステップＳ２０１へ進む。押圧位置がレーダーチャートの設定項目のプロット位置でない場合はステップＳ１１０が否定判定され、ステップＳ１１１へ進む。
【００３３】
ステップＳ１１１では、押圧位置がレーダーチャートの中心であるか否かを判定する。押圧位置がレーダーチャートの中心である場合はステップＳ１１１が肯定判定され、図８のステップＳ３０１へ進む。押圧位置がレーダーチャートの中心でない場合はステップＳ１１１が否定判定され、ステップＳ１１２へ進む。ステップＳ１１２では、レーダーチャートを消去して、撮影条件変更処理を終了する。
【００３４】
ステップＳ１１３では、押圧位置が２箇所であるか否かを判定する。押圧箇所が２箇所である場合はステップＳ１１３が肯定判定され、図９のステップＳ４０１へ進む。押圧箇所が２箇所でない場合はステップＳ１１３が否定判定され、ステップＳ１０７に戻る。
【００３５】
図７のステップＳ２０１では、レーダーチャートの中心に対する、ステップＳ１０８で検出した押圧位置の方向を算出する。ステップＳ２０２では、タッチパネル１１１ａが押圧されたか否かを判定する。押圧されている場合はステップＳ２０２が肯定判定され、ステップＳ２０３へ進む。押圧されていない場合はステップＳ２０２が否定判定され、ステップＳ２１５へ進む。ステップＳ２０３では、押圧位置を検出する。ステップＳ２０４では、押圧位置が１箇所であるか否かを判定する。押圧位置が１箇所である場合はステップＳ２０４が肯定判定され、ステップＳ２０５へ進む。押圧箇所が１箇所でない場合はステップＳ２０４が否定判定され、ステップＳ２１５へ進む。
【００３６】
ステップＳ２０５では、レーダーチャートの中心に対する、ステップＳ２０３で検出した押圧位置の方向を算出する。ステップＳ２０６では、ステップＳ２０５で算出した押圧位置の方向がステップＳ２０１で算出した押圧位置の方向と同一であるか否かを判定する。これにより、レーダーチャートを構成する軸に沿ってタッチパネル１１１ａのドラッグ操作が行われているか否かを判定することができる。方向が同一の場合は、タッチパネル１１１ａのドラッグ操作が軸に沿って行われており、方向が同一でない場合は、ドラッグ操作が軸に沿って行われていない。
【００３７】
ステップＳ２０５で算出した押圧位置の方向がステップＳ２０１で算出した押圧位置の方向と同一である場合はステップＳ２０６が肯定判定され、ステップＳ２０７へ進む。ステップＳ２０５で算出した押圧位置の方向がステップＳ２０１で算出した押圧位置の方向と同一でない場合はステップＳ２０６が否定判定され、ステップＳ２０２に戻る。
【００３８】
ステップＳ２０７では、表示モニタ１０４に表示されているレーダーチャートの大きさを読み込む。レーダーチャートの大きさの示すパラメータとしては、たとえば、レーダーチャートの半径や直径があり、このパラメータの値を読み込む。レーダーチャートの大きさは、最初、予め定められた大きさであり、後述の図９の処理で変更される。ステップＳ２０８では、レーダーチャートの中心と押圧位置との間の距離を算出する。ステップＳ２０９では、ステップＳ２０８で算出された距離と、ステップＳ２０７で読み込まれたレーダーチャートの大きさとに基づいて設定値を算出する。
【００３９】
ステップＳ２１０では、撮影条件をステップＳ２０９で算出した設定値に変更する。ステップＳ２１１では、撮影条件における設定項目の設定値を読み込む。ステップＳ２１２では、メモリ１０２を作業エリアとして、読み込んだ設定値に基づいて所定の大きさのレーダーチャートを作成する。ステップＳ２１３では、スルー画像に重ねて新たなレーダーチャートを表示する。
【００４０】
ステップＳ２１４では、変更された設定値に基づいて、スルー画像の表示態様を変更する。たとえば、ホワイトバランスの設定値が大きくなるとスルー画像の赤味を増すようにし、設定値が小さくなるとスルー画像の青みを増すようにする。ホワイトバランスの設定値は、たとえば色温度としてもよい。露出補正の設定値が大きくなると、スルー画像を明るく表示し、露出補正の設定値が小さくなると、スルー画像を暗く表示する。シャッター秒時が長くなり、像揺れの可能性が高くなると、撮像装置１が揺れているようにスルー画像を表示する。また、シャッター秒時が長くなる程、スルー画像を明るく表示し、シャッター秒時が短くなる程、スルー画像を暗く表示する。
【００４１】
Ｆ値が大きくなると、スルー画像の被写界深度を深くし、Ｆ値が小さくなると、スルー画像の被写界深度を浅くする。また、Ｆ値が大きくなると、スルー画像を明るく表示し、Ｆ値が小さくなると、スルー画像を暗く表示する。ＩＳＯ感度が大きくなり、ノイズ発生の可能性が高くなると、スルー画像にノイズを表示する。また、ＩＳＯ感度が大きくなる程、スルー画像を明るく表示し、ＩＳＯ感度が小さくなる程、スルー画像を暗く表示する。ステップＳ２１４の次はステップＳ２０２に戻る。
【００４２】
ステップＳ２１５では、表示モニタ１０４の画面における各設定項目のプロット位置を算出する。そして、図６のステップＳ１０７に戻る。
【００４３】
図８のステップＳ３０１では、タッチパネル１１１ａが押圧されたか否かを判定する。押圧されている場合はステップＳ３０１が肯定判定され、ステップＳ３０２へ進む。押圧されていない場合はステップＳ３０１が否定判定され、ステップＳ３０５へ進む。ステップＳ３０２では、押圧位置を検出する。ステップＳ３０３では、押圧位置は１箇所であるか否かを判定する。押圧位置が１箇所である場合はステップＳ３０３が肯定判定され、ステップＳ３０４へ進む。押圧箇所が１箇所でない場合はステップＳ３０３が否定判定され、ステップＳ３０５へ進む。
【００４４】
ステップＳ３０４では、レーダーチャートの中心が押圧位置と同じ位置になるようにレーダーチャートの表示位置を移動する。そして、ステップＳ３０１に戻る。
【００４５】
ステップＳ３０５では、画面上の各設定項目のプロット位置を算出する。そして、図６のステップＳ１０７に戻る。
【００４６】
図９のステップＳ４０１では、図６のステップＳ１０８で検出した２つの押圧位置の間の距離Ａを算出する。ステップＳ４０２では、タッチパネル１１１ａが押圧されたか否かを判定する。押圧されている場合はステップＳ４０２が肯定判定され、ステップＳ４０３へ進む。押圧されていない場合はステップＳ４０２が否定判定され、ステップＳ４０７へ進む。ステップＳ４０３では、押圧位置を検出する。ステップＳ４０４では、押圧位置が２箇所であるか否かを判定する。押圧位置が２箇所である場合はステップＳ４０４が肯定判定され、ステップＳ４０５へ進む。押圧箇所が２箇所でない場合はステップＳ４０４が否定判定され、ステップＳ４０７へ進む。
【００４７】
ステップＳ４０５では、ステップＳ４０３で検出した２つの押圧位置の間の距離Ｂを算出する。ステップＳ４０６では、距離Ｂ／距離Ａの値に基づいてレーダーチャートの大きさを変更する。たとえば、レーダーチャートの面積が（距離Ｂ／距離Ａ）倍になるようにレーダーチャートの大きさを変更する。そして、ステップＳ４０６に戻る。
【００４８】
ステップＳ４０７では、表示モニタ１０４における各設定項目のプロット位置を算出する。そして、図６のステップＳ１０７に戻る。
【００４９】
以上説明した第１の実施形態によれば、次の作用効果が得られる。
（１）複数の設定項目からなる撮影条件を設定するタッチパネル装置１１１と、スルー画像とともに、タッチパネル装置１１１によって設定された複数の設定項目の設定値を表したグラフを表示モニタ１０４に表示させる制御回路１０１とを備え、制御回路１０１は、タッチパネル装置１１１によって設定された設定値の変更に応じて、表示モニタ１０４に表示されているグラフの形状を変更させ、タッチパネル装置１１１によって設定された設定値の変更に応じて、表示モニタ１０４に表示されている画像の表示態様を変更させるようにした。これにより、複数の設定項目の設定値を同一画面上で変更することができるので、手動で設定された設定値を適用した画像を表示させながら複数の設定項目を変更する操作が容易になる。また、スルー画像の表示態様の変化を見ながら複数の設定項目の設定値を変更することができるので、複数の設定項目について適切な設定値に変更する操作が容易になる。
【００５０】
（２）複数の設定項目からなる撮影条件の設定値をレーダーチャートで表すようにした。これにより、複数の設定項目のバランスを考慮して撮影条件を設定することができる。また、レーダーチャートの変化により設定値を感覚的に認識したり、複数の設定項目の設定値をレーダーチャートの形で覚えたりすることができる。
【００５１】
（３）タッチパネル１１１ａの操作によってレーダーチャートで表された設定値を変更するようにした。これにより、直感的に設定値を変更することができ便利である。なお、第１の実施形態では、タッチパネル１１１ａのドラッグ操作によって設定値を変更するようにしたが、タッチ操作やスクロール操作など、他のタッチパネル１１１ａの操作によって設定値を変更するようにしてもよい。タッチ操作の場合、タッチした位置にプロット位置が変更される。スクロール操作は、タッチパネル１１１ａをはじくような操作であり、スクロール操作の場合、スクロールした方向にプロット位置が所定距離移動する。
【００５２】
（４）レーダーチャートの大きさを変更できるようにした。これにより、スルー画像の表示態様に変化を認識できる程度にレーダーチャートの大きさを調整することができる。また、タッチパネル１１１ａの操作によってレーダーチャートの大きさを変更できるようにした。これにより、直感的な操作でレーダーチャートの大きさを変更することができ便利である。なお、タッチパネル１１１ａを２箇所押圧し、ドラッグ操作を行うと、レーダーチャートの大きさが変わったが、レーダーチャートを２箇所押圧し、ドラッグ操作を行うと、レーダーチャートの大きさが変わるようにしてもよい。また、タッチパネル１１１ａの他の操作によって、レーダーチャートの大きさが変わるようにしてもよい。
【００５３】
（５）レーダーチャートの表示位置を移動できるようにした。これにより、スルー画像に写っている被写体の邪魔にならない位置にレーダーチャートの表示位置を移動することができる。また、タッチパネル１１１ａの操作によってレーダーチャートの表示位置を移動できるようにした。これにより、直感的な操作でレーダーチャートの表示位置を移動することができ便利である。なお、レーダーチャートの中心を押圧してドラッグ操作を行うと、レーダーチャートが移動したが、レーダーチャートの他の位置を押圧してドラッグ操作を行うとレーダーチャートが移動するようにしてもよい。
【００５４】
以上の第１の実施形態を次のように変形することができる。
（１）図１０に示すように、レーダーチャート３０１の背景を着色するようにしてもよい。なお、レーダーチャート３０１の背景色は、有彩色、無彩色に限定されない。また、レーダーチャート３０１の背景を不透明にしてもよいし、半透明にしてもよい。これにより、スルー画像３１０の影響でレーダーチャート３０１が見づらくなるのを防止することができる。
【００５５】
（２）第１の実施形態では、レーダーチャート３０１とともに設定値３０３ａ〜３０３ｄを表示した。しかし、図１１（ａ）に示すように、設定値を表示せず、アイコン３０４ｃ〜３０４ｇのみを表示するようにしてもよい。ここで、アイコン３０４ｃはホワイトバランスを示し、アイコン３０４ｄは露出補正を示す。アイコン３０４ｅはシャッター秒時を示し、アイコン３０４ｆはＦ値を示す。アイコン３０４ｇはＩＳＯ感度を示す。これにより、レーダーチャート３０１が表示された画面の見栄えを向上させることができる。
【００５６】
図１１（ｂ）に示すように、ユーザが押圧している位置に対応する設定値をポップアップ画面３０７ａで表示するようにしてもよい。これにより、ユーザは、レーダーチャート３０１を押圧した位置の設定値を具体的に認識できるので、便利である。また、ホワイトバランスの場合、ユーザは、設定値を表示してもホワイトバランスの補正の程度を認識することが難しいので、図１１（ｃ）に示すように色を表示したポップアップ画面３０７ｂを表示するようにしてもよい。表示する色は、たとえば、赤色、桃色、白色、水色、青色としてもよい。ホワイトバランスの設定値が大きい場合は赤色のポップアップ画面を表示し、小さくなるにしたがって、桃色、白色、水色、青色のポップアップ画面を表示するようにする。これにより、ホワイトバランスが、赤味が増すように設定されたか、青みが増すように設定されたかをユーザは容易に認識することができる。
【００５７】
（３）取扱説明書を読まなくても撮影条件の設定変更を行えるようにするため、撮影条件の設定変更の操作の仕方を表示したヘルプ画面を表示できるようにしてもよい。取扱説明書を読まなくても直感的に操作できるという、タッチパネル１１１ａの操作の利便性をさらに向上させることができる。
【００５８】
図１２（ａ）に示すように、レーダーチャート３０１とともに、ヘルプボタン３０８を表示し、ユーザがヘルプボタン３０８を押圧すると、図１２（ｂ）に示すように、撮影条件の設定変更の操作の仕方を表示したヘルプ画面３３０ａが表示されるようにしてもよい。たとえば、ヘルプ画面３３０ａには、上述の５つの設定項目の設定値変更の説明が表示されるようにしてもよい。
【００５９】
また、図１３（ａ）に示すように、ユーザが、レーダーチャート３０１とともに表示されている設定値３０３ａ〜３０３ｄまたはアイコン３０４ａ，３０４ｂを押圧すると、図１３（ｂ）に示すようにヘルプ画面３３０ｂが表示されるようにしてもよい。たとえば、ヘルプ画面３３０ｂには、押圧された設定値３０３ａ〜３０３ｄまたはアイコン３０４ａ，３０４ｂに対応する設定項目の設定値変更の説明が表示されるようにしてもよい。なお、図１１（ａ）の画面ようにアイコンアイコン３０４ｃ〜３０４ｇのみが表示されている場合、ユーザがアイコン３０４ｃ〜３０４ｇを押圧すると、押圧されたアイコン３０４ｃ〜３０４ｇに対応する設定項目の設定値変更のヘルプ画面が表示される。
【００６０】
（４）設定項目の設定値を変更するために使用する操作部材はタッチパネル１１１ａに限定されない。
−ロータリマルチセレクタ−
たとえば、ロータリマルチセレクタを使用して設定項目の設定値を変更するようにしてもよい。図１４（ａ）は、撮像装置の背面の変形例を説明するための図である。背面には表示モニタ１０４とともに、レーダーチャートオン／オフボタン３４１とロータリマルチセレクタ３４２が設けられている。レーダーチャートオン／オフボタン３４１は、レーダーチャート３０１を表示させたり、表示を終了させたりするためのボタンである。ロータリマルチセレクタ３４２は、回転部３４２ａと中央のＯＫボタン３４２ｂとから構成される。回転部３４２ａは、回動可能かつ押圧可能な操作部材であり、ＯＫボタン３４２ｂは押圧可能な操作部材である。ロータリマルチセレクタ３４２の周囲には、撮影条件の設定項目を表すアイコン３４３ａ〜３４３ｅが表示されている。アイコン３４３ａ〜３４３ｅは、図１１（ａ）のアイコン３０４ｃ〜３０４ｇと同じものであり、同じ設定項目を示す。
【００６１】
次に、図１４を参照して、露出補正の補正量を変更する操作を例に上げて、ロータリマルチセレクタ３４２を使用して設定項目の設定値を変更する操作を説明する。表示モニタ１０４には、撮影時の撮影準備画像であるスルー画像３１０が表示されているものとして説明する。
【００６２】
スルー画像３１０が表示モニタ１０４に表示されているとき、ユーザがレーダーチャートオン／オフボタン３４１を押圧すると、図１４（ａ）に示すように、レーダーチャート３０１がスルー画像３１０に重ねて表示される。
【００６３】
図１４（ｂ）に示すように、ロータリマルチセレクタ３４２の露出補正のアイコン３４３ｂ近傍部分を押圧すると、設定項目の中から露出補正が選択される。露出補正が選択されると、設定値３０３ａにカーソルが表示される。図１４（ｃ）に示すように、ロータリマルチセレクタ３４２を回転すると、露出補正の設定値が変更される。また、設定値の変更にともなってプロット位置３０５も変更され、レーダーチャート３０１の形状が変わる。ロータリマルチセレクタ３４２のＯＫボタン３４２ｂを押圧すると、変更された設定値が撮影条件として設定される。ユーザがレーダーチャートオン／オフボタン３４１を再び押圧すると、レーダーチャート３０１は消去される。
【００６４】
−ロータリスイッチ−
また、ロータスイッチを使用して設定項目の設定値を変更するようにしてもよい。図１５（ａ）は、撮像装置の背面の変形例を説明するための図である。背面には表示モニタ１０４とともに、レーダーチャートオン／オフボタン３４１とロータリスイッチ３４４が設けられている。ロータリスイッチ３４４は、回転部３４４ａと中央のＯＫボタン３４４ｂとから構成される。回転部３４４ａは回動可能な操作部材であり、ＯＫボタン３４４ｂは押圧可能な操作部材である。
【００６５】
次に、図１５を参照して、露出補正の補正量を変更する操作を例に上げて、ロータリスイッチ３４４を使用して設定項目の設定値を変更する操作を説明する。表示モニタ１０４には、撮影時の撮影準備画像であるスルー画像３１０が表示されているものとして説明する。
【００６６】
スルー画像３１０が表示モニタ１０４に表示されているとき、ユーザがレーダーチャートオン／オフボタン３４１を押圧すると、図１５（ａ）に示すように、レーダーチャート３０１がスルー画像３１０に重ねて表示される。このとき、ホワイトバランスが、設定値を変更する設定項目として選択され、アイコン３０４ａにカーソルが表示される。ロータリスイッチ３４４を回転させると、カーソルが、レーダーチャート３０１ともに表示されている設定値３０３ａ〜３０３ｄやアイコン３０４ａ，３０４ｂを移動し、設定値を変更する設定項目が変わる。
【００６７】
図１５（ｂ）に示すように、ロータリスイッチ３４４を回転させて、カーソルが露出補正の設定値３０３ａに表示されるようにし、設定値を変更する項目として露出補正を選択する。そして、ＯＫボタン３４４ｂを押圧すると、設定値を変更する設定項目の選択が確定する。図１５（ｃ）に示すように、ロータリスイッチ３４４を回転すると、露出補正の設定値が変更される。また、設定値の変更にともなってプロット位置３０５も変更され、レーダーチャート３０１の形状が変わる。ロータリスイッチ３４４のＯＫボタン３４４ｂを押圧すると、変更された設定値が撮影条件として設定される。ユーザがレーダーチャートオン／オフボタン３４１を再び押圧すると、レーダーチャート３０１は消去される。
【００６８】
−十字キー−
さらに、十字キーを使用して設定項目の設定値を変更するようにしてもよい。図１６（ａ）は、撮像装置の背面の変形例を説明するための図である。背面には表示モニタ１０４とともに、レーダーチャートオン／オフボタン３４１と十字キー３４５が設けられている。十字キーは、上下左右に押圧可能な操作部材である。
【００６９】
次に、図１６を参照して、露出補正の補正量を変更する操作を例に上げて、十字キー３４５を使用して設定項目の設定値を変更する操作を説明する。表示モニタ１０４には、撮影時の撮影準備画像であるスルー画像３１０が表示されているものとして説明する。
【００７０】
スルー画像３１０が表示モニタ１０４に表示されているとき、ユーザがレーダーチャートオン／オフボタン３４１を押圧すると、図１６（ａ）に示すように、レーダーチャート３０１がスルー画像３１０に重ねて表示される。このとき、ホワイトバランスが、設定値を変更する設定項目として選択され、アイコン３０４ａにカーソルが表示される。十字キー３４５の右部分または左部分を押圧すると、カーソルが、設定値３０３ａ〜３０３ｄやアイコン３０４ａ，３０４ｂを移動し、設定値を変更する設定項目が変わる。
【００７１】
図１６（ｂ）に示すように、十字キー３４５の左部分を押圧して露出補正の設定値３０３ａにカーソルが表示されるようにし、設定値を変更する設定項目として露出補正を選択する。十字キー３４５の上部分または下部分を押圧すると、選択された設定項目の設定値が変更される。図１６（ｃ）に示すように、十字キー３４５の上部を押圧すると、露出補正の設定値が変更される。また、設定値の変更にともなってプロット位置３０５も変更され、レーダーチャート３０１の形状が変わる。ユーザがレーダーチャートオン／オフボタン３４１を押圧すると、変更された設定値が撮影条件として設定され、レーダーチャート３０１は消去される。
【００７２】
（５）設定項目の設定値を変更するための操作を、タッチパネル１１１ａの操作と、その他の操作との間で切り替えられるようにしてもよい。タッチパネル１１１ａの操作に慣れるまで、他の操作部材による操作を行うことができ、便利である。たとえば、タッチパネル１１１ａによる操作と、ロータリマルチセレクタ３４２の回転部３４２ａの押圧・回転操作およびＯＫボタン３４２ｂの押圧操作と、ロータリマルチセレクタ３４２の回転部３４２ａの回転操作およびＯＫボタン３４２ｂの押圧操作との間で切り替えられるようにしてもよい。
【００７３】
図１７（ａ）は、撮像装置の背面の変形例を説明するための図である。背面には表示モニタ１０４とともに、レーダーチャートオン／オフボタン３４１とロータリスイッチ３４４と操作切替ボタン３４７が設けられている。表示モニタ１０４には、タッチパネル１１１ａが設けられている。
【００７４】
次に、図１７を参照して、設定項目の設定値を変更するための操作を切り替える操作を説明する。表示モニタ１０４には、撮影時の撮影準備画像であるスルー画像３１０が表示されているものとして説明する。
【００７５】
図１７（ａ）は、タッチパネル１１１ａの操作によって設定項目の設定値を変更する場合に表示される表示モニタ１０４の画面を説明するための図である。レーダーチャート３０１が表示モニタ１０４の画面に表示される。設定値を変更する操作は、上述の実施形態と同様であるので、説明を省略する。
【００７６】
ユーザが図１７（ａ）の操作切替ボタン３４７を押圧すると、図１７（ｂ）に示すように、レーダーチャート３０１は消去され、ロータリマルチセレクタ３４２の回転部３４２ａの押圧・回転操作および中央のＯＫボタン３４２ｂの押圧操作で設定値を変更するためのスケール画面３５０が表示される。スケール画面３５０には、スケール上に示した設定値３５１と数値として表示した設定値３５２とが表示される。また、スケール画面３５０の下には、変更前の設定値３５３が表示される。設定値を変更する操作は、上述の変形例（４）のロータリマルチセレクタ３４２の操作と同様であるので、説明を省略する。
【００７７】
ユーザが図１７（ｂ）の操作切替ボタン３４７を押圧すると、図１７（ｃ）に示すように、スケール画面３５０は消去され、ロータリマルチセレクタ３４２の回転部３４２ａの回転操作および中央のＯＫボタン３４２ｂの押圧操作で設定値を変更するための設定値３０３ａ〜３０３ｄやアイコン３０４ａ，３０４ｂが表示される。変更する設定値３０３ｃには、カーソルが表示され、さらに変更する設定値３０３ｃの近傍に選択アイコン３６０が表示される。なお、選択アイコン３６０は選択された設定項目によって変化するようにしてもよい。設定値を変更する操作は、上述の変形例（４）のロータリスイッチ３４４の操作と同様であるので、説明を省略する。
【００７８】
ユーザが図１７（ｃ）の操作切替ボタン３４７を押圧すると、図１７（ａ）に示す画面に戻り、再びタッチパネル１１１ａの操作によって設定値を変更することができる。
【００７９】
（６）設定項目の設定値を変更するときに表示モニタ１０４に表示するグラフは、２以上の設定値の間の関係を表す図形であれば、レーダーチャートに限定されない。たとえば、図１８（ａ）に示すように棒グラフを表示したり、図１８（ｂ）に示すように折れ線グラフを表示したりするようにしてもよい。図１８（ａ）の棒グラフの場合、各設定項目の棒グラフの先端部分を押圧して、左右方向にドラッグ操作すると、棒グラフが短くなったり長くなったりして設定値を変更することができる。図１８（ｂ）の折れ線グラフの場合、プロット位置を押圧して、左右方向にドラッグ操作すると、プロット位置がドラック操作に応じて移動して設定値を変更することができる。また、図１９（ｃ）に示すように、散布図を表示するようにしてもよい。この場合の散布図は１点のみ表示され、その１点を押圧してドラッグ操作を行うと、押圧位置の移動にともなって複数の設定値が同時に変更される。
【００８０】
−第２の実施形態−
本発明の第２の実施形態の撮像装置について説明する。第２の実施形態における撮像装置は、記憶した画像ファイルを読み出し、読み出した画像ファイルの画像データの画像を表示モニタ１０４に表示することができる。そして、撮影したときの撮影条件を示したレーダーチャートを画像とともに表示することができる。
【００８１】
第２の実施形態における撮像装置の構成は、第１の実施形態における撮像装置１の構成とほぼ同一であるので、第２の実施形態における撮像装置の構成の説明は省略する。
【００８２】
図１９（ａ）は、メモリカード１５０に記憶した画像データを読み出して画像３７０を再生したときの表示モニタ１０４の画面を説明するための図である。画面には、再生画像３７０とともに、撮影したときの撮影条件を示したレーダーチャート３０１が表示される。所定の操作によって再生画像の表示からスルー画像の表示に切り替えると、図１９（ｂ）に示すように、再生画像とともに表示されていたレーダーチャート３０１がスルー画像３１０に重ねて表示される。それにともない、撮影条件が、再生画像３７０を撮影したときと同じものに設定される。
【００８３】
以上説明した第２の実施形態によれば、次の作用効果が得られる。
（１）記憶された画像データの画像を表示モニタ１０４に表示し、その表示した画像の画像データを撮影したときの撮影条件を、これから行う撮影の撮影条件として設定するようにした。これにより、所定の撮影条件を簡単に設定することができ便利である。
【００８４】
（２）記憶された画像データの画像を表示モニタ１０４に表示するとき、撮影条件を示すレーダーチャートを表示し、その画像の画像データを撮影したときの撮影条件を、これから行う撮影の撮影条件として設定し、スルー画像を表示するときも撮影条件を示すレーダーチャートを表示するようにした。これにより、設定された撮影条件が、記憶された画像データのものと同じであるか否かを容易に確認することができる。
【００８５】
以上の第２の実施形態を次のように変形することができる。
第１の実施形態と同様に、画像とともに表示するグラフはレーダーチャートに限定されない。
【００８６】
−第３の実施形態−
本発明の第３の実施形態の撮像装置について説明する。第３の実施形態における撮像装置は、記憶した画像ファイルを読み出し、読み出した画像ファイルの画像データの画像を編集することができる。このとき、編集を行う画像とともに複数の編集項目の設定値を表したレーダーチャートを表示することができる。
【００８７】
第３の実施形態における撮像装置の構成は、第１の実施形態における撮像装置１の構成とほぼ同一であるので、第３の実施形態における撮像装置の構成の説明は省略する。
【００８８】
図２０を参照して、複数の編集項目の設定値を表したレーダーチャートを説明する。図２０は、メモリカード１５０に記憶した画像データを読み出して画像３７０を再生したときの表示モニタ１０４の画面を説明するための図である。画面には、再生画像３７０とともに、レーダーチャート４０１が表示される。
【００８９】
レーダーチャート４０１は、５つの編集項目４０２ａ〜４０２ｅの設定値をプロットしたものである。この５つの設定項目は、コントラスト４０２ａ、明るさ４０２ｂ、ガンマ４０２ｃ、シャープネス４０２ｄおよびぼかし４０２ｅである。コントラスト４０２ａは、画像のコントラストを大きくしたり小さくしたりする編集項目であり、明るさ４０２ｂは、画像を明るくしたり、暗くしたりする編集項目である。ガンマ４０２ｃは、ガンマ補正を行うときのγ値を大きくしたり小さくしたりする編集項目であり、シャープネスは、輪郭を強調する編集項目である。ぼかしは、輪郭をぼかす編集項目である。
【００９０】
編集項目の設定値を大きくしたり小さくしたりする操作は、第１の実施形態の設定値を大きくしたり小さくしたりする操作と同様であるので、編集項目の設定値を大きくしたり小さくしたりする操作の説明は省略する。なお、レーダーチャート４０１は、第１の実施形態のレーダーチャートと同様に大きさを変えたり、表示位置を移動したりすることができる。また、第１の実施形態と同様に、編集項目の設定値が変更されると、その変更に応じて再生画像３７０の表示態様も変更される。たとえば、コントラスト４０２ａの設定値を大きくすると、再生画像３７０のコントラストも大きくなり、コントラスト４０２ａの設定値を小さくすると、再生画像３７０のコントラストも小さくなる。
【００９１】
他の編集項目の設定値を変更する場合、レーダーチャート４０１をそのまま表示させた状態で、他の編集項目４０２ｂ〜４０２ｅについて上記と同様のドラッグ操作を行う。
【００９２】
以上説明した第３の実施形態によれば、次の作用効果が得られる。
（１）記憶されている画像データの画像を表示モニタ１０４に再生し、複数の編集項目の設定値を表したグラフを、再生画像とともに表示モニタ１０４に表示させるようにした。これにより、複数の編集項目の設定値を同一画面上で変更することができるので、複数の編集項目を変更する操作が容易になる。
【００９３】
（２）複数の編集項目の設定値をレーダーチャートで表すようにした。これにより、複数の編集項目のバランスを考慮して画像を編集することができる。また、レーダーチャートの変化により設定値を感覚的に認識したり、複数の編集項目の設定値をレーダーチャートの形として覚えたりすることができる。
【００９４】
（３）ユーザによるタッチパネル１１１ａの操作によってレーダーチャートで表された設定値を変更するようにした。これにより、直感的に設定値を変更することができ便利である。なお、第１の実施形態と同様に、タッチパネル１１１ａの操作はドラッグ操作に限定されない。
【００９５】
以上の第３の実施形態も第１の実施形態の変形例と同じように変形することができる。
【００９６】
発明は、画像表示装置であれば、撮像装置に限定されない。たとえば、本発明は、携帯電話やＰＤＡ（ Personal Digital Assistant ）にも適用できる。
【００９７】
実施形態と変形例の一つ、もしくは複数を組み合わせることも可能である。変形例同士をどのように組み合わせることも可能である。
【００９８】
以上の説明はあくまで一例であり、本発明は上記実施形態の構成に何ら限定されるものではない。
【符号の説明】
【００９９】
１  撮像装置
１０１  制御回路
１０４  表示モニタ
３１０  スルー画像
３４１  レーダーチャートオン／オフボタン
３４２  ロータリマルチセレクタ
３４４  ロータリスイッチ
３４５  十字キー
３４７  操作切替ボタン
３７０  再生画像
【図１】
2010183477.tif 000003
【図２】
2010183477.tif 000004
【図３】
2010183477.tif 000005
【図４】
2010183477.tif 000006
【図５】
2010183477.tif 000007
【図６】
2010183477.tif 000008
【図７】
2010183477.tif 000009
【図８】
2010183477.tif 000010
【図９】
2010183477.tif 000011
【図１０】
2010183477.tif 000012
【図１１】
2010183477.tif 000013
【図１２】
2010183477.tif 000014
【図１３】
2010183477.tif 000015
【図１４】
2010183477.tif 000016
【図１５】
2010183477.tif 000017
【図１６】
2010183477.tif 000018
【図１７】
2010183477.tif 000019
【図１８】
2010183477.tif 000020
【図１９】
2010183477.tif 000021
【図２０】
2010183477.tif 000022